(57)【要約】【課題】  地表埋設用枠体の各種閉蓋においては、地表埋設用枠体内への雨水等の流入防止や、地表埋設用枠体内から外部への悪臭の発散防止効果に優れ、且つ閉蓋のガタツキ防止効果をも奏し、又、コンクリートブロック等の成形用型枠においては、型枠の接続部における生コンクリート等の液状材料の漏出防止に加え、成形するブロックの隅角部の面取りをも同時に行うことができるパッキンとその装着方法を提供する。【解決手段】  断面縦長状の弾性体からなりパッキンをなす舌片部３が、略垂直状をなす内側面３ｂの先端側中途部３ｄから、下側の一部を除く下窄み状又は全体に渡る下窄み状の傾斜面をなす外側面３ａの先端部３ｅにわたり上向き傾斜面３ｆとなされて先細り状に形成され、又は前記内側面３ｂ若しくは外側面３ａから取付用基部２が突設してなる。【選択図】  図１
2005289022.tif 000002
【特許請求の範囲】
【請求項１】
断面縦長状で弾性体からなる舌片部（３）が、略垂直状をなす内側面（３ｂ）の先端側中途部（３ｄ）から、下側の一部を除く下窄み状又は全体に渡る下窄み状の傾斜面をなす外側面（３ａ）の先端部（３ｅ）にわたり上向き傾斜面（３ｆ）となされて先細り状に形成されてなることを特徴とするパッキン。
【請求項２】
前記内側面（３ｂ）又は外側面（３ａ）から取付用基部（２）が突出してなる請求項１記載のパッキン。
【請求項３】
断面縦長状の舌片部（３）が、略垂直状をなす内側面（３ｂ）の先端側中途部（３ｄ）から、略垂直状の外側面（３ａ）又は下側の一部を除く下窄み状若しくは全体に渡る下窄み状の傾斜面をなす外側面（３ａ）の先端部（３ｅ）にわたり上向き傾斜面（３ｆ）となされ、内側面（３ｂ）又は外側面（３ａ）から取付用基部（２）が突出された弾性体からなるパッキン（１）を、前記舌片部（３）の内側面（３ｂ）又は基部（２）を分割型枠縁部と当接させて、前記先端部（３ｅ）及び傾斜面（３ｆ）を型枠縁部から突出させるか、或いは、前記舌片部（３）の外側面（３ａ）を分割型枠縁部と当接させて、前記傾斜面（３ｆ）と内側面（３ｂ）を型枠から突出させるとともに、基部（２）を分割型枠に取付け固定するパッキンの装着方法。
【請求項４】
断面横長状の舌片部（３）が、略水平状をなす内側面（３ｂ）又は外側面（３ａ）の先端側中途部（３ｄ）から略水平状の外側面（３ａ）又は内側面（３ｂ）の先端部（３ｅ）にわたり先細りの傾斜面（３ｆ）となされ、内側面（３ｂ）から取付用基部（２）が突出された弾性体からなるパッキン（１）を、前記舌片部（３）の基部（２）を閉蓋（９）の端部垂下縁（９ａ）に取付け、少なくとも前記先端部（３ｅ）及び傾斜面（３ｆ）を端部垂下縁（９ａ）から周方向へ外突させて固定するパッキンの装着方法。
【発明の詳細な説明】
【技術分野】
【０００１】  本発明はパッキンとその装着方法に関するものであり、さらに詳しくは、コンクリートブロック等の成形用型枠や、汚水マス、マンホール等の地表埋設用枠体の各種閉蓋等に取付けられて使用されるパッキンとその装着方法に関するものである。
【背景技術】
【０００２】  従来、コンクリートブロック等の成形用型枠においては、例えば断面が円形、方形、台形等各種形状となされた長尺のパッキンが使用されており、これらパッキンは組立分解自在な型枠の接続部に沿って取付けられ、該パッキンが型枠の組立時に前記接続部において型枠相互によって圧縮変形されることにより、前記接続部に生じる隙間を閉塞して型枠内に充填した生コンクリート等の液状材料の漏出防止を図るようになされている。
又、汚水マス、マンホール等の地表埋設用枠体の各種閉蓋においては、例えば断面円形のパッキンが閉蓋の周方向に沿う端部垂下縁の外周、若しくは、地表埋設用枠体の蓋受段部の周壁に取付けられ、該パッキンが閉蓋の閉塞時に前記端部垂下縁と蓋受段部との間で圧縮変形されることにより、閉蓋と蓋受段部間に生じる隙間を閉塞して地表埋設用枠体内への雨水等の流入防止や、地表埋設用枠体内から外部への悪臭の発散防止を図るようになされたものも知られている。
【発明の開示】
【発明が解決しようとする課題】
【０００３】  しかしながら、前記コンクリートブロック等の成形用型枠にあっては、パッキンは単に型枠の接続部に生じる隙間を閉塞するためのもので、前記隙間からの生コンクリート等の液状材料の漏出防止の役目しか果たさないことから、成形するブロックの隅角部を面取りするような場合には、前記パッキンの装着とは別途に型枠の端縁部、又は接続縁部に沿う型枠内において、突出状、又は、その入り隅部を埋める如き所定形状、例えて断面三角形等の削り出しによる隆起部１３、若しくは鋼製目地棒による隆起部１３を設ける等して型枠を製作する必要があり（図４ア部、イ部）、その製作が煩雑で手間がかかるとともに、図５（イ）、（ロ）に示す如く、生コンクリート等の充填作業前に、前記隆起部１３を有する分割型枠４ａ，４ｃが分割状態にある際には、かかる隆起部１３が外方に向け突出して剥き出し状態となるために、その移動や組立時に該所が他部材と衝突したりして度々損傷するという問題点があった。又、前記損傷部分を再生するには、肉盛り研摩する等繊細な作業で大変な手間を要していた。【０００４】  又、地表埋設用枠体の閉蓋にあっては、パッキンが断面円形となされることが多いため、閉蓋の開閉時にパッキンが地表埋設用枠体の蓋受段部との接触摩擦でずれ動いたり、或いは、閉蓋の開閉性を考慮すると、閉蓋の端部垂下縁と地表埋設用枠体の蓋受段部との間にあるパッキンの変形度合い（パッキンが前記端部垂下縁と蓋受段部により挟圧されて夫々に接する度合い）を余り大きくできず、又、前記変形度合いを大きく設定すると、地表埋設用枠体への閉蓋の嵌合が行い難く、何れの場合においても閉蓋上やその近辺の車両や人の通行等に起因する振動等によって閉蓋が動いてパッキンによる隙間の閉塞状態が不十分となりやすく、パッキンの効果が必ずしも発揮できていない問題点があった。
本発明はかかる従来の問題点に鑑みてなされたもので、コンクリートブロック等の成形用型枠においては、型枠の接続部における生コンクリート等の液状材料の漏出防止に加え、成形するブロックの隅角部の面取りをも同時に行うことができ、又、地表埋設用枠体の閉蓋においては、地表埋設用枠体内への雨水等の流入防止や、地表埋設用枠体内から外部への悪臭の発散防止効果に優れ、且つ閉蓋のガタツキ防止効果をも奏するパッキンとその装着方法を提供することを課題としている。
【課題を解決するための手段】
【０００５】  上記課題を解決するため、本発明のパッキンは、断面縦長状で弾性体からなる舌片部３が、略垂直状をなす内側面３ｂの先端側中途部３ｄから、下側の一部を除く下窄み状、又は全体に渡る下窄み状の傾斜面をなす外側面３ａの先端部３ｅにわたり上向き傾斜面３ｆとなされて先細り状を呈するものである。【０００６】  又、本発明のパッキンは、前記内側面３ｂ又は外側面３ａから取付用基部２が突出してなる構成を採用することができる。【０００７】  又、本発明のパッキンの装着方法は、断面縦長状の舌片部３が、略垂直状をなす内側面３ｂの先端側中途部３ｄから、略垂直状の外側面３ａ又は下側の一部を除く下窄み状若しくは全体に渡る下窄み状の傾斜面をなす外側面３ａの先端部３ｅにわたり上向き傾斜面３ｆとなされ、内側面３ｂ又は外側面３ａから取付用基部２が突出された弾性体からなるパッキン１を、前記舌片部３の内側面３ｂ又は基部２を分割型枠縁部と当接させて、前記先端部３ｅ及び傾斜面３ｆを型枠縁部から突出させるか、或いは、前記舌片部３の外側面３ａを分割型枠縁部と当接させて、前記傾斜面３ｆと内側面３ｂを型枠から突出させるとともに、基部２を分割型枠に取付け固定するものである。【０００８】  又、本発明のパッキンの装着方法は、断面横長状の舌片部３が、略水平状をなす内側面３ｂ又は外側面３ａの先端側中途部３ｄから略水平状の外側面３ａ又は内側面３ｂの先端部３ｅにわたり先細りの傾斜面３ｆとなされ、内側面３ｂから取付用基部２が突出された弾性体からなるパッキン１を、前記舌片部３の基部２を閉蓋９の端部垂下縁９ａに取付け、少なくとも前記先端部３ｅ及び傾斜面３ｆを端部垂下縁９ａから周方向へ外突させて固定するものである。
【発明の効果】
【０００９】  本発明のパッキンは、断面縦長状で弾性体からなる舌片部が、略垂直状をなす内側面の先端側中途部から、下側の一部を除く下窄み状、又は全体に渡る下窄み状の傾斜面をなす外側面の先端部にわたり上向き傾斜面となされて先細り状に形成されてなるために、その内側面を取付け部となし固定して使用するに際し、外側面の先端部とその下側にある屈曲部、又は他端部を支点として舌片部が揺動、弾性変形可能な状態となり、舌片部がその外側面に押圧力を受けて圧縮変形する作用を奏し、型枠において生コンクリート等の液状材料の漏出防止及び成形するブロックの面取り形成、並びに、地表埋設用枠体において防水、防臭及び閉蓋のガタツキ防止等の効果が発揮される。【００１０】  又、本発明のパッキンは、舌片部の内側面又は外側面から取付用の基部が突出状に追設されているために、該パッキンと一方の分割型枠や閉蓋との当接（取付け）長さが増大して相互間の一体性が向上する。【００１１】  又、本発明のパッキンの装着方法は、断面縦長状の舌片部が、略垂直状をなす内側面の先端側中途部から、略垂直状の外側面又は下側の一部を除く下窄み状若しくは全体に渡る下窄み状の傾斜面をなす外側面の先端部にわたり上向き傾斜面となされ、内側面又は外側面から取付用基部が突出された弾性体からなるパッキンを、前記舌片部の内側面又は基部を分割型枠縁部と当接させて、前記先端部及び傾斜面を型枠縁部から突出させるか、或いは、前記舌片部の外側面を分割型枠縁部と当接させて、前記傾斜面と内側面を型枠から突出させるとともに、基部を分割型枠に取付け固定するために、かかる基部がパッキンと分割型枠との当接（取付け）長さを増大せしめて相互間の一体性を向上させ、又、コンクリートブロック等の組立分解自在な成形用型枠の接続部において、隣接すべき一方の分割型枠の外周面上縁に欠設せる段部の周回面に舌片部の内側面又は基部を当接して、その舌片部の外側面を突出させて取付けることで、型枠の組立時に、前記分割型枠の外周面と他方の分割型枠の内側面との間に舌片部が挟着され、外周方向に食み出す外側面が押圧されるとともに、圧縮変形を生じて接続部に生じる隙間が閉塞されて型枠内の生コンクリート等の液状材料の漏出を確実に防止できる
ここで、舌片部の外側面が下側の一部を除く下窄み状、又は全体に渡る下窄み状となされ、その他端部が分割型枠の外周面と略合致せしめられて取付け固定され、且つ舌片部の中途部からの上向き傾斜面及び先端部が分割型枠の内面側に突出されると、前記外周面より外周方向に食み出して傾倒する舌片部の外側面がその屈曲部、又は他端部を支点としてより揺動、弾性変形し易い状態となり、上記押圧作用による型枠内の生コンクリート等の液状材料の漏出が一層効果的に防止される。
即ち、先細り状で外周方向に傾倒せる舌片部が、他方の分割型枠の押圧力に相応して外側面の屈曲部、又は他端部を支点として揺動する弁作用を奏するため、前記漏出防止が確実に図られるとともに、例え相接すべき一方の分割型枠と他方の分割型枠との間に多少の隙間（但し、外側面の先端部と屈曲部、又は他端部との間の横幅寸法以内）があっても、前記弁作用によって該所からの漏出が好適に阻止される。【００１２】  又、隣接すべき一方の分割型枠の外側面下部にある段部に舌片部の基部を取付け、その外側面を前記下部に当接させることで、舌片部の上向き傾斜面と内側面が分割型枠の内側に突設され、且つ、該内側面を分割型枠の下端縁の外周面より外周方向に食み出して取付けることで、型枠組立時に、前記分割型枠の外周面と他方の分割型枠の外側面との間に舌片部が挟着され、圧縮変形を生じて接続部に生じる隙間が閉塞されて、型枠内の生コンクリート等の液状材料の漏出を確実に防止できる。【００１３】  又、舌片部の中途部から先端部にわたる上向き傾斜面が、所定形状の面取り形成部に変形して型枠の一部を構成するため、成形するブロックの隅角部の面取り、特に、面寸法が小さく細い所謂糸面の成形も同時に容易且つ正確に行える。
更に、一方の分割型枠の組立前等、分解状態にあってそのパッキン、特に舌片部の上向き傾斜面や先端部が外方に向け突出する剥き出し状態となり、その移動や組立時にかかる先端部が他部材と衝突等しても、当該パッキンは全体が弾性体からなり緩衝性を有してなるため、その損傷が未然に防止されて繰り返し使用が可能であるとともに、万一損傷してもパッキンのみを取替え取付けるだけで、安価且つ迅速に一方の分割型枠を再生できる。【００１４】  しかも、分割型枠の周方向に沿う端縁部において、舌片部をその内側面を下側にして略水平状となし、該内側面が前記周回せる上縁部に取付け固定されると、舌片部の傾斜面がその先端部から下向き状を呈し所定形状の面取り形成部となって型枠内に突出し、成形するブロックの上隅角部の面取りが行えるとともに、型枠内に充填したコンクリート等の液状材料の上面仕上げをコテ等によって行うに際し、分割型枠の上面に略水平状に裸出して該上面を構成するパッキンの外側面が前記コテ等と接し、その摺動を滑らか、且つ抵抗なくスムーズに行わせ、又、弾性体からなるパッキンと液状材料は付着し難いために、液状材料の硬化前及び硬化後に、パッキン上から液状材料を除去し易いという利点がある。
更に、前記と同様に、一方の分割型枠の組立前等、分解状態にあってそのパッキン、特に舌片部の外突せる先端部が他部材と衝突等しても、緩衝性を有するためにその損傷が未然に防止されて繰り返し使用が可能であり、万一損傷してもパッキンのみを取替え取付けるだけで、安価且つ迅速に一方の分割型枠を再生できる。【００１５】  又、本発明のパッキンの装着方法は、断面横長状の舌片部が、略水平状をなす内側面又は外側面の先端側中途部から略水平状の外側面又は内側面の先端部にわたり先細りの傾斜面となされ、内側面から取付用基部が突出された弾性体からなるパッキンを、前記舌片部の基部を閉蓋の端部垂下縁に取付け、少なくとも前記先端部及び傾斜面を端部垂下縁から周方向へ外突させて固定するために、舌片部が外側面の他端部を支点として揺動、弾性変形可能な状態となり、かかる閉蓋を地表埋設用枠体の上方からその蓋受部に閉塞する際、前記舌片部の外側面又は傾斜面が蓋受部の周壁に摺動しつつ押圧されることで舌片部が上方に向け回動して圧縮変形し、前記と同様に弁作用を奏して閉蓋の端部垂下縁と蓋受部間に生じる隙間を確実に閉塞し、延いては地表埋設用枠体内への雨水等の流入及び地表埋設用枠体内から外部への悪臭の発散防止、並びに閉蓋のガタツキやガタツキによる騒音発生防止効果が十分発揮できる。
【発明を実施するための最良の形態】
【００１６】  以下、図面を参照しながら本発明の実施の形態について説明する。
図１は本発明のパッキンの一実施の形態を示し、１は本実施形態のパッキンであって、断面縦長状の舌片部３が弾性体からなり、略垂直状をなす内側面３ｂの先端側の中途部３ｄから、その他端部３ａ′へ向け下窄み状の傾斜面をなす外側面３ａの先端部３ｅにわたる上面が上向き傾斜面３ｆとなされて先細り状に形成されてなる。又、前記舌片部３の外側面３ａは、同図（ロ）に示す如き全体が下窄み状の一様な傾斜面となされてもよいし、同図（ハ）に示す如く、所定の中間位置で屈曲部３ｇを介して屈曲されて下側の一部が稍傾く下窄み状の傾斜面となされてもよい。【００１７】  又、図２は本発明の他実施の形態に係るパッキン１を示し、当該パッキン１は、断面略Ｌ形状の弾性長尺体をなすべく、前記図１に示すパッキンにおける舌片部３の内側面３ｂの略中位に、その上側付根部３ｃを位置させて水平状に突設せる基部２が一体的に追設されてなり、かかる基部２を取付部、又、略起立状の舌片部３を弾性変形部となす。この場合にも、舌片部３の外側面３ａは、図２（ロ）に示す如き全体が下窄み状の一様な傾斜面となされてもよいし、同図（ハ）に示す如く、所定の中間位置で屈曲部３ｇを介して屈曲されて下窄み状の傾斜面となされてもよいし、同図（ニ）に示す如く、所定の中間位置で屈曲部３ｇを介して屈曲されて下側の一部が略垂直状をなす下窄み状の傾斜面となされてもよい。又、同図（ホ）に示す如く、基部２及び舌片部３にわたり複数の空所１６が点在して設けられ、柔軟性が高められてもよい。【００１８】  即ち、上記舌片部３は、下側の一部を除く下窄み状又は全体に渡る下窄み状の外側面３ａと略垂直状の内側面３ｂとにより、基部２との付根部３ｃから先端側の中途部３ｄに向かって漸次厚肉状となされ、中途部３ｄ付近でその厚みが最大となされて先端部３ｅに向け漸次薄肉状となされるとともに、取付け固定される基部２を支点として揺動、弾性変形可能となされている。又、舌片部３の前記中途部３ｄから先端部３ｅにわたる上向き傾斜面３ｆは、図１、図２及び図３（ロ）に示すように、所定勾配をなす平面状の傾斜面となされてもよいし、或いは、図３（イ）及び（ハ）に示すように、所定曲率をなす凹又は凸湾曲状の傾斜面となされてもよい。【００１９】  又、基部２は、略均一な厚みを有する水平板片状となされてパッキン１の取付部を形成しているが、その断面形状は上記図２のものに限定されず基本的に舌片部３と一体化されて略Ｌ形状をなすべき形状であればよく、例えば当該基部２が取付け固定される他部材との一体性を増すべく、図３（ロ）に示すように、その上面及び／又は下面が傾斜面となされたり、同図（ハ）に示すように、端部に凸部２ａ及び／又は凹部２ｂが設けられたりする他、その表面に適宜凹凸が付される等、前記基本形状の範囲内で適宜変形されてもよい。
尚、上記各パッキン１の材質は、天然又は合成ゴム、ウレタン、ナイロン、シリコン等合成樹脂のパッキンに汎用の弾性体であればよく、とくに限定するものではない。【００２０】  次に、本発明のパッキンの使用例について説明する。
まず、図４は本発明のパッキン１をコンクリートブロック等の成形用型枠に使用した例を示す。
図４において、４は型枠であって、例えば円形、矩形、多角形、楕円形等各種の枠形状のブロックを成形すべく構成され、環又は枠状の底版をなす分割型枠４ａと、外周枠をなす分割型枠４ｂと、内周枠をなす分割型枠４ｃとからなる上面開放型となされ、これら分割型枠４ａ，４ｂ，４ｃが組立分解自在となされており、図４はその要部（組立時）のみを示してなる。【００２１】  しかして、前記底版をなす分割型枠４ａと、外周枠をなす分割型枠４ｂとの接続部において、型枠４の組立前の状態では、図６（ロ）に示す如く、底版をなす分割型枠４ａの外周面４ａ′上縁に欠設せる段部の周回面１４に沿って、前記図１（ロ）に示す断面縦長状のパッキン１の略垂直状をなす舌片部３の内側面３ｂが当接されるとともに、その外側面３ａの他端部３ａ′が分割型枠４ａの外周面４ａ′と略合致せしめられて略起立状に取付け固定され、且つ舌片部３の中途部３ｄからの上向き傾斜面３ｆ及び先端部３ｅが前記分割型枠４ａの内面側（上面側）に突出されることにより、パッキン１の外側面３ａが分割型枠４ａの外周面４ａ′より外方に食み出して傾倒する如くなされる。即ち、型枠４の組立前の状態において、舌片部３の外側面３ａが、分割型枠４ａに取付け固定されたその他端部３ａ′を支点として揺動、弾性変形可能な状態となされる。
而して、前記組立前の状態にあっては、舌片部３の先端部３ｅが分割型枠４ａの内面側（上面側）に突出する剥き出し状態になり、その移動時や後述の組立時に、かかる外側面３ａの先端部３ｅが他部材と衝突する等しても、当該パッキン１は全体が弾性体からなり、且つ舌片部３が揺動、弾性変形可能となされているために、その損傷が未然に防止されて繰り返し使用できるとともに、万一損傷等してもパッキン１のみを取替え取付けるだけで迅速に分割型枠４ａを再生できる。【００２２】  前記型枠４の組立時においては、図４及び図６（イ）に示すように、底版をなす分割型枠４ａの外周面４ａ′と、外周枠をなす分割型枠４ｂの内側面との間に舌片部３が挟着され、該舌片部３の外周方向に食み出して傾倒する外側面３ａが前記分割型枠４ｂの内側面により押圧されて舌片部３が圧縮変形されるとともに、中途部３ｄから先端部３ｅにわたる上向き傾斜面３ｆも圧縮変形される。
この時、舌片部３の外側面３ａが分割型枠４ｂの内側面と略垂直状に圧着されて、これに伴い分割型枠４ａ，４ｂの接続部に生じる隙間が確実に閉塞されると同時に、舌片部３の中途部３ｄから先端部３ｅにわたる上向き傾斜面３ｆが面取り形成用の所定の形状をなすべく変形し、型枠４の一部を構成する。
ここで、面取り形成部をなす上向き傾斜面３ｆの大きさは、自由で所望寸法に設定可能であるが、特に面寸法が小さく細い所謂糸面を成形するべく、かかる上向き傾斜面３ｆを小さくなしても、上記各作用を同様に奏して好適な使用が行える。【００２３】  従って、本発明のパッキン１によって、型枠４内に充填された生コンクリート等の液状材料５の前記接続部の隙間からの漏出防止が図られるとともに、パッキン１が面取り形成部として型枠４の一部を構成して、成形するブロックの隅角部の面取りが同時に行える。（図７に上記パッキン１によって隅角部６ａが面取りされ、面取り部１５が成形されたブロック６の要部を一例として示す。）
尚、底版をなす分割型枠４ａと、内周枠をなす分割型枠４ｃとの接続部においても、上記と同様に本発明のパッキン１を介在させることで、液状材料５の漏出防止が図られ、又、成形ブロックの面取りが同時に行われることは無論であるが、図４ア部にあっては、従来の断面円形のパッキン７が介在されて分割型枠４ａ，４ｃの接合によって前記パッキン７が圧縮変形され、前記接続部に生じる隙間が閉塞されて、型枠４内の液状材料５の漏出防止が図られる例を示している。【００２４】  尚又、本発明に係る断面略Ｌ形状のパッキン１は、例えて図８（イ）及び（ロ）に示すように、前記図６における分割型枠４ａの周回面１４の下位に、該周回面１４と連続して穿設した水平状のほぞ穴にその基部２が嵌め込まれるとともに、舌片部３の内側面３ｂが前記周回面１４に当接されて取付け固定されることで他方の分割型枠４ｂにより挟圧される他、同図（ハ）に示す如く、組立分解自在な型枠８の接続部において、一方の分割型枠８ａに、その下面部でパッキン１の基部２を挟持せしめ、舌片部３の中途部３ｄからの上向き傾斜面３ｆを分割型枠８ａの内面側に突出させるとともに、その内側面３ｂを分割型枠８ａの周回面１４に当接して舌片部３を取付け固定することで、かかるパッキン１が他方の分割型枠８ｂとの間に挟着される等して、型枠４，８に組み付け使用されるため、パッキン１と分割型枠４ａ，８ａとの当接（取付け）長さが増大し、且つ上記の如くパッキン１の基部２を分割型枠４ａ，８ａに嵌合又は挟持せしめて相互の一体性を増し、パッキン１が分割型枠４ａ，８ａから離脱するのを阻止することができる。【００２５】  又、図８（イ）における型枠４の組立状態にあっては、分割型枠４ｂの内面が、分割型枠４ａの外周面４ａ′よりもその下面で少許外突せる当り部４ｄに当接して外周面４ａ′と相接することなく相互間に比較的大きな隙間を存してなるが、該隙間の寸法が型枠４の分解時におけるパッキン１の傾倒せる外側面３ａの先端部３ｅと他端部３ａ′間の横幅寸法Ｘ以内であることを前提として、分割型枠４ｂの押圧力に相応し、外側面３ａの他端部３ａ′を支点として揺動する舌片部３の弁作用により、かかる外側面３ａの上位部が分割型枠４ｂと部分接触して前記隙間を充足し、該所からの液状材料５の漏出防止と成形されるブロックの隅角部の面取りを可能となしている。ここで、上記当り部４ｄは、繰り返し弾性変形せるパッキン１が過度な変形から派生して塑性化することを予防し、その耐久性を向上せしめるが、かかる当り部４ｄが設けられずして、分割型枠４ａ，４ｂの不完全な接続状態から相互間に隙間が発生しても、上記横幅寸法Ｘ以内の隙間寸法であれば、パッキン１が上記弁作用を奏することは無論である。【００２６】  又、図９及び図１０の下半部は、舌片部３の外側面３ａが、その下位に略垂直面を有するべく所定の中間位置で屈曲部３ｇを介して屈曲されて下窄み状の傾斜面となされた断面略Ｌ形状のパッキン１の場合を示し、この場合も前記図８（イ）、（ロ）の場合と同様にして分割型枠４ａに取付け固定されて他方の分割型枠４ｂにより挟圧されるものである。
この場合の型枠４の組立状態にあっても、上記と同様に本発明のパッキン１を介在させることで、液状材料５の漏出防止が図られ、又、成形ブロックの面取りが同時に行われることは無論であるが、分割型枠４ｂの押圧力に相応し、外側面３ａの屈曲部３ｇを支点として揺動する舌片部３の弁作用により、その上位部が分割型枠４ｂと部分接触して相互間の隙間を充足し、該所からの液状材料５の漏出防止と成形されるブロックの隅角部の面取りを可能となしている。
ここで、前記隙間を充足すべく圧縮変形する舌片部３は、外側面３ａの屈曲部３ｇから上位の部分だけ（図９のＸ寸法部分）となり、その断面積が減少するため、分割型枠４ｂの押圧力に対しより揺動、弾性変形し易く、分割型枠４ｂとの密着性を向上せしめるとともに、繰り返し作用する押圧力に対して舌片部３が塑性化し難いという作用、効果を奏する。【００２７】  又、図１１は、本発明のパッキンの他の実施形態を示し、当該パッキン１′は、略起立状の舌片部３の内側面３ｂの下位に略水平状の取付用基部２が突設された断面略Ｌ形状の弾性体となされ、舌片部３の略垂直状をなす内側面３ｂの先端側中途部３ｄから略垂直状をなす外側面３ａの先端部３ｅにわたり上向き傾斜面３ｆが設けられてなるが、該傾斜面３ｆや基部２の形状はこれに限定されず前述と同様に種々変形されてもよいし、その材質も前記パッキン１と同様となされる。
前記パッキン１′は、図１０の上半部に示すように、その外側面３ａを上側にして舌片部３を略水平方向、基部２を略垂直方向にして分割型枠４ｂの上縁部に取付け、その傾斜面３ｆを先端部３ｅから下向きとして分割型枠４ｂの上縁部から内方に突出させ、型枠４の組立状態において、開放した上部周縁部に沿って傾斜面３ｆが面取り形成用として型枠４の一部を構成する。即ち、舌片部３の内側面３ｂが分割型枠４ｂの上縁部に当接されるとともに、前記先端部３ｅ及び傾斜面３ｆが前記型枠上縁部から内方に突出され、上縁部の外周に設けた垂直状のほぞ穴にその基部２が嵌め込まれて取付け固定される。（尚、図１０の上右側のパッキン１′は内側面３ｂと隣接する基部２の面が傾斜面となされて基部２が下方に末広がり状を呈する。）
この場合のパッキン１′は、分割型枠４ｂの内方に突出する傾斜面３ｆが成形するブロックの上隅角部の面取りを可能になすとともに、成形時に上部開放部に臨む液状材料５の上面でのコテ等による仕上げに際して、コテ等を舌片部３の外側面３ａ上を抵抗なく滑らかに移動させることができるとともに、弾性体からなるパッキン１′と液状材料５は付着し難いために、液状材料５の硬化前及び硬化後にパッキン１′上から液状材料５が除去しやすくなる等、パッキン１′が仕上げ作業の効率化に寄与する。【００２８】  又、前記パッキン１′は、前記図８（イ）、（ロ）の場合と同様にして分割型枠４ａに取付け固定されてもよく、例えて図１２に示すように、分割型枠４ａの外周面４ａ′より舌片部３の外側面３ｂを少許突出させて取付けることで、他方の分割型枠４ｂにより挟圧されるものである。
この場合の型枠４の組立状態にあっても、前記と同様に分割型枠４ｂの内面が分割型枠４ａの外周面４ａ′と相接することなく隙間を存してなるが、分割型枠４ｂの押圧力に相応し、舌片部３の外側面３ａ全体が分割型枠４ｂと接触して前記隙間を充足し、該所からの液状材料５の漏出防止と成形されるブロックの隅角部の面取りを可能となしている。
更に、前記パッキン１′は、前記のように取付け固定されることから分割型枠４ａ又は４ｂとの当接（取付け）長さが増大し、その基部２を分割型枠４ａ又は４ｂに嵌合せしめて相互の一体性を増し、パッキン１′が分割型枠４ａ又は４ｂから離脱するのを阻止できる利点がある。【００２９】  図１３（イ）乃至（ト）は本発明のパッキンの他実施の形態を示し、本実施形態のパッキン１は、それぞれ舌片部３の内側面３ｂから基部２が突設されてなり、（イ）、（ロ）、（ニ）、（ヘ）の場合はそれぞれ分割型枠４ａと他の分割型枠４ｂとの接続部において、一方の分割型枠４ａに取付け固定され、（ハ）、（ホ）、（ト）の場合は分割型枠４ｂの上縁部に面取り形成用として取付けられている。
図１３（イ）に示すパッキン１は、図２（ニ）に示すものと略同形状で外側面３ａの屈曲部３ｇ上位が若干変形された断面略Ｌ形状となされ、分割型枠４ａの外周面４ａ′上縁に欠設せる段部の周回面に沿って舌片部３の内側面３ｂが当接され、先端部３ｅ及び傾斜面３ｆが前記型枠４ａ上縁部から突出して舌片部３が外周面４ａ′より外方に傾倒する如くなされ、上記段部の周回面に設けた水平状のほぞ穴にその基部２が嵌め込まれて取付け固定されている。
又、図１３（ロ）に示すパッキン１は、外側面３ａが略垂直状の舌片部３の内側面３ｂの中途部から上位に基部２が突設され、分割型枠４ａの外周面４ａ′上縁に欠設せる段部の周回面に沿って舌片部３の内側面３ｂ及び基部２が当接されて取付け固定され、先端部３ｅ及び傾斜面３ｆが前記型枠４ａ上縁部から突出するとともに、外側面３ａが上記外周面４ａ′から少許突出されている。
又、図１３（ハ）の場合は、同図（ロ）と同形状のパッキン１であって、その外側面３ａを上側にして舌片部３を略水平状、基部２を略垂直状にして分割型枠４ｂの上縁部に取付け固定し、その傾斜面３ｆを先端部３ｅから下向きとして分割型枠４ｂの上縁部から内方に突出させ、上記図１０と同様に型枠の組立状態において、開放した上部周縁部に沿って傾斜面３ｆが面取り形成用として型枠の一部を構成するものである。【００３０】  又、図１３（ニ）に示すパッキン１は、外側面３ａが略垂直状の舌片部３の内側面３ｂ全体に略鉤形状をなして下方に延びる基部２が突設され、分割型枠４ａの外周面４ａ′上縁に欠設せる段部に舌片部３が位置されて分割型枠４ａ上面に設けた垂直状ほぞ穴に基部２が嵌め込まれて取付け固定され、先端部３ｅ及び傾斜面３ｆが型枠４ａ上縁部から突出するとともに、外側面３ａが上記外周面４ａ′から少許突出されている（図１５（イ）参照）。
又、図１３（ホ）の場合は、同図（ニ）と同形状のパッキン１であって、その外側面３ａを上側にして舌片部３を略水平状にし、基部２を分割型枠４ｂの上縁部の水平状ほぞ穴に嵌め込んで取付け固定し、その傾斜面３ｆを先端部３ｅから下向きとして分割型枠４ｂの上縁部から内方に突出させ、同図（ハ）と同様に、傾斜面３ｆが面取り形成用として型枠の一部を構成するものである（図１５（イ）参照）。
又、図１３（ヘ）に示すパッキン１は、同図（ロ）に示すものの変形で、舌片部３を長くしてその内側面３ｂの略中央部に基部２が突設された点で上記のものと異なり、分割型枠４ａの外周面の周回面に沿って舌片部３の内側面３ｂが当接され、該周回面に設けた水平状のほぞ穴に基部２が嵌め込まれて取付け固定され、先端部３ｅ及び傾斜面３ｆが前記型枠４ａ上縁部から突出されている。
又、図１３（ト）の場合は、同図（ヘ）と同形状のパッキン１であって、その外側面３ａを上側にして舌片部３を略水平状にして、基部２を分割型枠４ｂの上縁部に取付け固定し、その傾斜面３ｆを先端部３ｅから下向きとして分割型枠４ｂの上縁部から内方に突出させ、同図（ハ）と同様に、傾斜面３ｆが面取り形成用として型枠の一部を構成するものである。【００３１】  図１４（イ）乃至（ニ）は本発明のパッキンの他実施の形態を示し、本実施形態のパッキン１は、それぞれそれぞれ舌片部３の外側面３ａから基部２が突設されてなり、分割型枠４ａと他の分割型枠４ｂとの接続部において、一方の分割型枠４ｂに取付け固定されている。
同図（イ）に示すパッキン１は、舌片部３の外側面３ａの中央部を除いた上下部に基部２が突設された断面略Ｃ形状となされ、分割型枠４ｂの外周面４ｂ′縁部に欠設せる段部の周回面に沿って舌片部３の外側面３ａが当接され、傾斜面３ｆが前記型枠４ｂ縁部から突出するとともに内側面３ｂが外周面４ｂ′より少許外方に突出され、上記段部の周回面に設けた水平状のほぞ穴に基部２が嵌め込まれて取付け固定されている。
同図（ロ）に示すパッキン１は、舌片部３の外側面３ａ略中央部に基部２が突設された断面横Ｔ形状となされ、分割型枠４ｂの外周面４ｂ′に欠設せる段部の周回面に沿って舌片部３の外側面３ａが当接され、傾斜面３ｆが前記型枠４ｂ縁部から突出するとともに内側面３ｂが外周面４ｂ′より少許外方に突出され、上記段部の周回面に設けた水平状のほぞ穴に基部２が嵌め込まれて取付け固定されている。
同図（ハ）に示すパッキン１は、舌片部３の外側面３ａ上位に基部２が突設された断面略逆Ｌ形状となされ、分割型枠４ｂの外周面４ｂ′の上側に設けた段部周回面に沿って舌片部３の外側面３ａが当接され、傾斜面３ｆが前記型枠４ｂ縁部から突出するとともに内側面３ｂが外周面４ｂ′より少許外方に突出され、上記段部周回面に設けた水平状のほぞ穴に基部２が嵌め込まれて取付け固定されている（図１５（ロ）参照）。
同図（ニ）に示すパッキン１は、舌片部３の外側面３ａ下位に基部２が突設された断面略Ｌ形状で、舌片部３の内側面３ｂ全体が下窄み状の一様な傾斜面となされ、分割型枠４ｂの外周面４ｂ′の上側に設けた段部周回面に沿って舌片部３の外側面３ａが当接され、傾斜面３ｆが前記型枠４ｂ縁部から突出するとともに傾斜状の内側面３ｂが外周面４ｂ′より外方に突出されて舌片部３が外方に傾倒する如くなされ、上記段部周回面に設けた水平状のほぞ穴に基部２が嵌め込まれて取付け固定されている。この場合、分割型枠４ａの外周面との接続に際し、内側面３ｂの中途部３ｄが前記外周面と最初に点接触し、押圧力がよく利いて舌片部３が変形し易いという利点がある。【００３２】  更に又、上記の各パッキン１，１′は、例えて図１６（イ）及び（ロ）に示す如きその内部を流水部となす水路用、同図（ハ）及び（ニ）に示す如き棒状又は曲折板状の道路用、又、同図（ホ）及び（ヘ）に示す如き板状の閉蓋用等の他、種々の形状、用途のブロック成形用の型枠に取付けられてもよいし、その取付箇所についても成形するブロックの隅角部６ａに面取り部１５を必要とする箇所における型枠の接続部に取付けられればよく、又、その分割型枠４ａ，８ａへの取付け方法は、例えて接着剤が用いられる等、適宜材料によって適宜手段で行われればよい。【００３３】  次に、図１７は、本発明のパッキン１を汚水マス、マンホール等の地表埋設用枠体の閉蓋に使用した例を示す。
図１７において、９は閉蓋であって、例えば平面視円形状となされ、その周方向に沿って裏面側に端部垂下縁９ａが一体的に設けられてなり、該閉蓋９が例えて平面視円形枠状をなす地表埋設用枠体１０の上面内周縁で凹段部状に形成された蓋受部１１にその上面が面一状に嵌合されることにより、地表埋設用枠体１０の上部開口が閉塞されるようになされている。
しかして、本発明に係る断面略Ｌ形状のパッキン１は、閉蓋９の閉塞前の開放時において、図１８（ロ）に示すように、舌片部３をその内側面３ｂを上向けて略水平状にすることで基部２を略垂直状となし、該基部２が閉蓋９の端部垂下縁９ａの下端部に欠設された段部の周回面１４に沿って取付けられるとともに、前記端部垂下縁９ａの下端部にその他端部３ａ′が略合致せしめられることで、舌片部３の下側となる外側面３ａが斜め下方に延びる傾斜面をなして外突出し、該舌片部３が基部２との付根部３ｃを支点として上下に回動、弾性変形可能な状態となされる。【００３４】  前記閉蓋９を地表埋設用枠体１０の上方からその蓋受部１１に閉塞する際には、図１７及び図１８（イ）に示す如く、舌片部３の外側面３ａが蓋受部１１の周壁１１ａに摺接して押圧されることにより、舌片部３が付根部３ｃを支点として上方に向け回動して圧縮変形されるとともに、先端部３ｅ付近の外側面３ａが蓋受部１１の周壁１１ａに、又、他端部３ａ′付近の外側面３ａが蓋受部１１の段部１１ｂに夫々押圧されて閉蓋９のガタツキ及びガタツキによる騒音発生の防止が図られる。
このとき、閉塞前の開放時の閉蓋９においては、前記舌片部３の下側となる外側面３ａが、図１８（ロ）に示すように、その他端部３ａ′から斜め下方に延びる傾斜面となされていることから、前記舌片部３の圧縮変形に際して、該舌片部３がその反発弾性作用により蓋受部１１の周壁１１ａに圧接され、閉蓋９の端部垂下縁９ａと蓋受部１１の周壁１１ａとの間に生じる隙間がその下位で確実に閉塞され、車両や人の通行等に起因する振動等によりたとえ閉蓋９が動いても、該動きに追随して上記圧接状態が維持される。【００３５】  従って、本発明のパッキン１によって、地表埋設用枠体１０内への雨水、雨水に混じった砂塵等の流入防止や、地表埋設用枠体１０内から外部への悪臭の発散防止が確実に図られる。
尚、地表埋設用枠体１０の蓋受部１１は、上記図１７においては地表埋設用枠体１０の上面内周縁に凹状段部が直接的に欠設されているが、図１９に示すように、地表埋設用枠体１０の上面内周縁に凹状段部を形成すべく、その上面に蓋受枠１２が一体的に嵌着されることにより形成されてもよく、又、上記パッキン１に替えて、外側面３ａの態様が異なる図２（ハ）、（ニ）に示すパッキン１（一部が傾斜状）、又は、図１１に示すパッキン１′（傾斜面を有しない直面状）等が前記と同様に取付けられてもよく、更に、前記各断面略Ｌ形状のパッキンに替えて、図１９に示すように、前記断面縦長状のパッキン１の内側面３ｂを上向け略水平状として、該内側面３ｂを閉蓋９の端部垂下縁９ａの下端面全域にわたって取付け固定することもでき、この場合には、前記雨水、砂塵等の流入防止及び悪臭の発散防止に加えて、パッキン１の舌片部３の一部が閉蓋９の端部垂下縁９ａと蓋受枠１２の段部１１ｂとの間に介在してクッション効果を奏し、閉蓋９のガタツキ及びガタツキに起因する騒音発生が更に予防される。【００３６】  又、本発明のパッキン１の取付けに関して、図２０（イ）及び（ロ）に示すように、上記断面略Ｌ形状のパッキン１の舌片部３をその内側面３ｂを上向けて略水平状、基部２を略垂直状となし、該基部２が閉蓋９の端部垂下縁９ａの下端部に欠設された段部の周回面１４に沿うとともに略垂直状ほぞ穴に嵌め込まれて取付けられ、前記端部垂下縁９ａの下端部にその他端部３ａ′が略合致され、舌片部３の外側面３ａが斜め下方に延びる傾斜面をなして外突出し、該舌片部３が、端部垂下縁９ａの外周下端と略合致する内側面３ｂの中途部３ｄを支点として上下に回動、弾性変形可能な状態となされてもよい。この場合も、閉蓋９を地表埋設用枠体１０の上方からその蓋受部１１に閉塞する際、上記と略同様の作用効果を奏するとともに、基部２がほぞ穴に嵌め込まれてパッキン１と閉蓋９の一体性が更に強固になるという利点がある。。
又、図２１（イ）及び（ロ）に示すように、パッキン１として、断面横長状の舌片部３が、略水平状をなす外側面３ａの先端側中途部３ｄから略水平状の内側面３ｂの先端部３ｅにわたり上向きの傾斜面３ｆをなす先細り状となされ、内側面３ｂから基部２が突設された断面略Ｌ形状のものが使用され、上記図２０（ロ）と略同様で、その外側面３ａを閉蓋９の端部垂下縁９ａの下端面より下方に突出させて閉蓋９に取付け固定されてもよい。この場合には、閉蓋９を地表埋設用枠体１０の上方からその蓋受部１１に閉塞する際、図２１（イ）に示す如く、舌片部３の傾斜面３ｆが蓋受部１１の周壁１１ａに摺接して押圧されて、舌片部３が他端部３ａ′から全体的に上方に向け圧縮変形されるとともに、先端部３ｅ付近の傾斜面３ｆが蓋受部１１の周壁１１ａに、又、他端部３ａ′付近の外側面３ａが蓋受部１１の段部１１ｂに夫々押圧されて閉蓋９のガタツキ及びガタツキによる騒音発生の防止が図られる。
尚又、本発明のパッキン１を取付ける閉蓋９の形状は、平面視円形の他、方形、多角形等適宜形状であってもよく、又、地表埋設用枠体１０の平面形状も閉蓋９の平面形状に相応した適宜形状であればよい。
【図面の簡単な説明】
【００３７】
【図１】  本発明のパッキンの一実施の形態を示し、（イ）は一部斜視図、（ロ）は拡大断面図、（ハ）は変形例を示す断面図。
【図２】  本発明のパッキンの他実施の形態を示し、（イ）は一部斜視図、（ロ）は拡大断面図、（ハ）、（ニ）、（ホ）は夫々変形例を示す断面図。
【図３】  （イ）乃至（ハ）は夫々本発明のパッキンの他実施の形態を示す断面図。
【図４】  本発明のパッキンの使用例及び従来例に係るブロック成形用の型枠の要部断面図。
【図５】  （イ）及び（ロ）は従来の型枠の分解状態を示す要部拡大断面図。
【図６】  （イ）は図４のＡ部拡大図、（ロ）は（イ）における型枠の組立前の状態を示す要部断面図。
【図７】  図４の型枠によって成形されたブロックの要部を示し、右半部は正面図、左半部は断面図。
【図８】  （イ）及び（ハ）は夫々本発明のパッキンの他の使用例に係るブロック成形用の型枠の要部断面図、（ロ）は（イ）における型枠の組立前の状態を示す要部断面図。
【図９】  本発明のパッキンの変形例の使用例に係るブロック成形用の型枠（組立前）の要部断面図。
【図１０】  本発明のパッキンの変形例及び他実施の形態の使用例に係るブロック成形用の型枠を示し、左半部は組立状態（成形時）、右半部は組立前の状態を示す一部省略断面図。
【図１１】  本発明のパッキンの他実施の形態を示す拡大断面図。
【図１２】  本発明のパッキンの他の実施形態を示し、その使用例に係るブロック成形用の型枠（組立前）の要部断面図。
【図１３】  （イ）乃至（ト）は夫々本発明のパッキンの他実施の形態を示し、その使用例に係るブロック成形用の型枠（組立前）の要部断面図。
【図１４】  （イ）乃至（ニ）は夫々本発明のパッキンの他実施の形態を示し、その使用例に係るブロック成形用の型枠（組立前）の要部断面図。
【図１５】  （イ）及び（ロ）は夫々本発明のパッキンの他実施の形態の使用例に係るブロック成形用の型枠（組立前）の要部断面図。
【図１６】  （イ）乃至（ヘ）は本発明のパッキンによりその隅角部が面取りされたブロックの斜視図。
【図１７】  本発明のパッキンの他の使用例に係る地表埋設用枠体の閉蓋の閉塞時の要部断面図（但し、閉蓋の左半部は地表埋設用枠体を透視した正面図）。
【図１８】  （イ）は図１７のＢ部拡大図、（ロ）は（イ）における閉蓋の開放時を示す要部断面図。
【図１９】  本発明のパッキンの他の使用例に係る地表埋設用枠体の閉蓋の閉塞時の要部断面図。
【図２０】  （イ）は本発明のパッキンの他の使用例に係る地表埋設用枠体の閉蓋の閉塞時の要部断面図、（ロ）は（イ）における閉蓋の開放時を示す要部断面図。
【図２１】  （イ）は本発明のパッキンの他の使用例に係る地表埋設用枠体の閉蓋の閉塞時の要部断面図、（ロ）は（イ）における閉蓋の開放時を示す要部断面図。
【符号の説明】
【００３８】  １，１′  パッキン
２  基部
３  舌片部
３ａ  外側面
３ａ′  他端部
３ｂ  内側面
３ｃ  付根部
３ｄ  中途部
３ｅ  先端部
３ｆ  上向き傾斜面
３ｇ  屈曲部
４，８  型枠
４ａ，４ｂ，４ｃ，８ａ，８ｂ  分割型枠
４ａ′，４ｂ′  外周面
５  液状材料
９  閉蓋
９ａ  端部垂下縁
１０  地表埋設用枠体
１１  蓋受部
１１ａ  周壁
１１ｂ  段部
１４  周回面
【図１】
2005289022.tif 000003
【図２】
2005289022.tif 000004
【図３】
2005289022.tif 000005
【図４】
2005289022.tif 000006
【図５】
2005289022.tif 000007
【図６】
2005289022.tif 000008
【図７】
2005289022.tif 000009
【図８】
2005289022.tif 000010
【図９】
2005289022.tif 000011
【図１０】
2005289022.tif 000012
【図１１】
2005289022.tif 000013
【図１２】
2005289022.tif 000014
【図１３】
2005289022.tif 000015
【図１４】
2005289022.tif 000016
【図１５】
2005289022.tif 000017
【図１６】
2005289022.tif 000018
【図１７】
2005289022.tif 000019
【図１８】
2005289022.tif 000020
【図１９】
2005289022.tif 000021
【図２０】
2005289022.tif 000022
【図２１】
2005289022.tif 000023